(57)【要約】【課題】  ボンネットとエンジン上方に配置された熱交換器との間の上下寸法に余裕の無い車体であっても、車両前方からの充分な走行風を熱交換器に導入する。【解決手段】  エンジン３の上方に略水平に定置されたインタークーラ５には、その周りに、下方に垂下するスカート部材１５が配置されており、スカート部材１５の車体前方側部分は、傾斜したガイド面１５ｂを構成している。ボンネットＢに固定された導気部材１０は、スカート部材１５に対応する部分に開口１３を有し、この開口１３の周縁にはシール部材１７が設けられ、このシール部材１７によってスカート部材１５の外周縁部との間がシールされている。【選択図】  図４
2005186851.tif 000002
【特許請求の範囲】
【請求項１】
エンジンの上方に定置されてエンジンとボンネットとの隙間に略水平に配設された熱交換器に、車両前方から走行風を誘導する自動車の冷却風導入構造において、
前記熱交換器の上面の外周部分から下方に垂下するスカート部材と、
前記ボンネットに固定され、前記ボンネットを閉めたときに前記スカート部材と共同して、車両前方からの走行風を前記熱交換器まで導く導気通路を形成する導気部材とを有し、
前記スカート部材は、前記熱交換器の車体前方に向かうに従って徐々に低位になる傾斜したガイド面を備え、該ガイド面により、前記車両前方からの走行風が前記導気部材から前記ガイド面に案内されて前記熱交換器に導入されることを特徴とする自動車の冷却風導入構造。
【請求項２】
前記スカート部材と対応する前記導気部材の部分に開口が形成され、前記ボンネットを閉めたときに、前記導気部材の開口が前記スカート部材で閉じられることにより、該スカート部材と共同して、車両前方からの走行風を前記熱交換器に導入する、請求項１に記載の自動車の冷却風導入構造。
【請求項３】
前記導気部材の開口と前記スカート部材の下方に垂下した外周部分との間にシール部材が設けられている、請求項２に記載の自動車の冷却風導入構造。
【請求項４】
前記熱交換器は、車体前後方向に離置したタンク部分と、該タンク部よりも低い上面を備えたコア部分とを有し、
前記ボンネットには、前記熱交換器のコア部分に対応する部分に車幅方向に延びる補強部材が設けられ、該補強部材に前記導気部材が固定されている、請求項１〜３のいずれか一項に記載の自動車の冷却風導入構造。
【発明の詳細な説明】
【技術分野】
【０００１】
本発明は、自動車の冷却風導入構造に関し、典型的には、過給気を冷却するインタークーラまで走行風を誘導する技術に関する。
【背景技術】
【０００２】
典型的にはターボチャージャ付きの車両には、エンジンの充填効率の向上のために過給気の温度を低下させる目的でインタークーラを設けることが多い。
【０００３】
特許文献１には、ボンネットに導風開口部を設けると共に、この導風開口部からインタークーラに至る導気通路を設けて、ボンネットに沿って流れる走行風を導風開口部を通じてインタークーラに案内する技術が開示されている。
【０００４】
特許文献２には、自動車の前面に開口する導気部材をボンネットの下に設け、この導気部材を通じて車両前方からの走行風をエンジンの上方に配置したインタークーラつまり熱交換器に案内する技術が開示されている。
【特許文献１】特開平１１−２０７３９号公報
【特許文献２】実開平２−１０９７２２号公報
【発明の開示】
【発明が解決しようとする課題】
【０００５】
後者の場合、つまりボンネットの下方領域に自動車の前面に開口する導気部材を設けて、車両前方からの走行風を熱交換器に導入する場合、ボンネットとエンジンとの間の上下寸法に余裕のある車体のときには、導気部材の配設はそれほど難しくないが、ボンネットとエンジンとの間の上下寸法に余裕の無い車体の場合には、導気部材の断面高さの確保に一定の制約を受けるため充分な走行風を導入するのが難しくなる。
【０００６】
本発明は、かかる困難性を克服するために案出されたものであり、その目的は、ボンネットとエンジン上方に配置された熱交換器との間の上下寸法に余裕の無い車体であっても、車両前方からの充分な走行風を熱交換器に導入することのできる自動車の冷却風導入構造を提供することにある。
【課題を解決するための手段】
【０００７】
かかる技術的課題は、本発明によれば、
エンジンの上方に定置されてエンジンとボンネットとの隙間に略水平に配設された熱交換器に、車両前方から走行風を誘導する自動車の冷却風導入構造において、
前記熱交換器の上面の外周部分から下方に垂下するスカート部材と、
前記ボンネットに固定され、前記ボンネットを閉めたときに前記スカート部材と共同して、車両前方からの走行風を前記熱交換器まで導く導気通路を形成する導気部材とを有し、
前記スカート部材は、前記熱交換器の車体前方に向かうに従って徐々に低位になる傾斜したガイド面を備え、該ガイド面により、前記車両前方からの走行風が前記導気部材から前記ガイド面に案内されて前記熱交換器に導入されることを特徴とする自動車の冷却風導入構造を提供することにより達成される。
【０００８】
すなわち、本発明によれば、熱交換器に、この上面から下方に垂下するスカート部材を設けて、このスカート部材と共同して車両前方からの走行風を熱交換器に導入する導気通路を形成すると共に、スカート部材の車体前方側の面を傾斜したガイド面で構成してあるため、エンジンの上方に定置した熱交換器とボンネットとの間の隙間が僅かであっても、導気部材を通じて充分な走行風を熱交換器に導入することができる。
【０００９】
本発明の好ましい実施の形態にあっては、スカート部材と対応する導気部材の部分に開口が形成され、ボンネットを閉めたときに、導気部材の開口がスカート部材で閉じられることにより、スカート部材と共同して、車両前方からの走行風を熱交換器に導入するようにしてある。これによれば、熱交換器の車体前方側だけでなく側方側からも走行風を熱交換器に導入することが可能になり、熱交換器の冷却能力を高めることができる。
【００１０】
また、本発明の好ましい実施の形態にあっては、前記導気部材の開口と前記スカート部材の下方に垂下した外周部分との間にシール部材が設けられており、これにより、充分な上下長さ又は厚みを備えたシール部材を採用することができる。
【００１１】
また、本発明の好ましい実施の形態にあっては、熱交換器は、車体前後方向に離置したタンク部分と、タンク部よりも低い上面を備えたコア部分とを有し、ボンネットには、熱交換器のコア部分に対応する部分に車幅方向に延びる補強部材が設けられて、この補強部材に導気部材が固定される。この構成によれば、比較的低い位置に上面を備えたコア部分に対応する部分にボンネット側の補強部材が配置されて、この補強部材に導気部材が固定されるため、その分、ボンネット高さを低く設定することができる。この構成は、エンジン出力軸を車幅方向に向けた横置きエンジン形式の自動車に好適に適用可能である。
【発明を実施するための最良の形態】
【００１２】
図１は、車体前部を構成するエンジンルームをボンネットの図示を省いて上から見た概略図である。エンジンルーム１の前端は、既知のように、シュラウド部材２で規定され、シュラウド部材２にはラジエータ（図示せず）が搭載される。エンジンルーム１には、エンジン３が、その出力軸３ａを車幅方向に向けた横置き方式で搭載され、また、前後方向に延びる車体中心軸線ＣＬに対して、車幅方向に若干オフセット（この実施例では右側にオフセット）した状態でエンジンルーム１に搭載されており、このエンジン３は、ターボチャージャ４（図３）により排気エネルギを使った過給が行われる。
【００１３】
図１の参照符号５はインタークーラを示し、このインタークーラ５は、エンジン３の上方に略水平に定置され且つ車体中心軸線ＣＬから右側にオフセットして配置されている。インタークーラ５は熱交換を行うコア部分５ａを有し、ターボチャージャ４で圧縮された新気はインタークーラ５で冷却されてエンジン３に供給される。インタークーラ５での熱交換に使用するために、車両前方からの走行風が導気部材１０によってインタークーラ５に導入される。
【００１４】
図２をも参照して、導気部材１０は、自動車の前面に向けて開放した２つの入口１１Ｌ、１１Ｒを有し、この２つの入口１１Ｌ、１１Ｒは、シュラウド部材２の車幅方向中央部分に配設されたボンネット用ロック機構２ａを挟んで左右に位置している。図１、図２の矢印は走行風の流れ方向を示す。
【００１５】
導気部材１０は、天井壁１０ａと底壁１０ｂと側壁１０ｃとで比較的偏平の閉じた内部導気通路１２を有し、この内部導気通路１２は、シュラウド部材２の近傍の入口１１Ｌ、１１Ｒから車体後方に延びエンジン３の後端近傍で終端している。導気部材１０は、特徴的には、その前端からエンジン３の前端近傍まで、エンジンルームの車幅方向中央領域を幅広の状態で真っ直ぐに延びた後に、左側の側壁１０ｃがエンジン出力軸３ａの近傍で湾曲して導気部材１０は幅狭になって、車幅方向右側にオフセットしているインタークーラ５の幅と実質的に同じ幅になる。導気部材１０の底壁１０ｂは、インタークーラ５に対応する後部分に矩形の開口１３を有する。
【００１６】
図３、図４などの図面を参照して、インタークーラ５はコア部分５ａを挟んで車体前後方向に離置した入口側タンク５ｂ、出口側タンク５ｃを有し、コア部分５ａの周りに、インタークーラ５の上面から下方に垂下するスカート部材１５が設けられている。すなわち、スカート部材１５はインタークーラ５から離れるに従って下方に位置する形状を有し、その外周縁には水平フランジ１５ａが形成されている。特に、スカート部材１５は、インタークーラ５の前方に位置する傾斜した部分１５ｂ（図４、図５参照）が前方に向かうに従って徐々に低位に位置する傾斜したガイド面で構成されているため、車両前方から導入した走行風はガイド面１５ｂによってインタークーラ５まで滑らかに誘導される。
【００１７】
導気部材１０は、開口部１３の周縁部に固定された弾性シール部材１７を有し、ボンネットＢを閉じた時に、弾性シール部材１７の下端が、上述したスカート部１５の水平フランジ１５ａに着座して、この弾性シール部材１７により開口部１３の周囲とスカート部材１５との間がシールされ、この結果、導気部材１０の内部導気通路１２はインタークーラ５（コア部分５ａ）に連通される。
【００１８】
導気部材１０は、図４から理解できるように、ボルト・ナットなどの締結手段１８によってボンネットＢに固定されている。より具体的には、ボンネットＢは、その内面に添設された補強インナ部材１９を有し、この補強インナ部材１９に導気部材１０が固定されている。この補強インナ部材１９の固定に関し、インタークーラ５の部分にあっては、コア部分５ａを車幅方向に延びるビーム状部分１９ａを有し、このビーム状部分１９ａに導気部材１０が締結手段１８によって固定されている。
【００１９】
上記の構成により、インタークーラ５の周囲から下方に垂下するスカート部材１５を設け、このスカート部１５の外周縁部つまりインタークーラ５の上面よりも低い位置で導気部材１０との間をシールするようにしてあるため、仮にインタークーラ５の外周部分で導気部材１０をシールするのに比べて、充分な厚み又は上下長さの弾性シール部材１７を採用することができると共に導気部材１０の断面を下方に拡大することができるため、ボンネットＢとエンジンとの間の隙間が小さくても、車両前方からの充分な走行風をインタークーラ５に導入することができる。
【００２０】
また、導気部材１０は、エンジンルームの車幅方向中央領域を幅広の状態でエンジン出力軸３ａの近傍まで延びているため、この導気部材１０で誘導された走行風は、インタークーラ５の前方側だけでなく、側方側からもインタークーラ５に導入されるため、インタークーラ５の熱交換に必要な走行風をインタークーラ５に供給することができる。インタークーラ５の側方からの走行風の導入効果を高めるために、スカート部１５の内周部分のうち、図３及び図６に図示のように、車体中心軸線ＣＬに隣接する側方部分に、これを切り欠いた形状の凹所２０を設けて、インタークーラ５の側方から走行風が侵入する部位の通路断面積を拡大するのがよい。
【００２１】
また、インタークーラ５は、エンジン横置き形式では、入口側及び出口側タンク５ｂ、５ｃが車体前後方向に離置された状態で搭載されることになるが、この入口側及び出口側タンク５ｂ、５ｃに比べて低位に位置するコア部分５ａに対応する部分に、ボンネットＢの車幅方向に延びるビーム状補強インナ部材１９を配置させて、このビーム状補強インナ部材１９に導気部材１０を固定するようにしてあるため、この分、ボンネット高さを低く設定することができる。
【図面の簡単な説明】
【００２２】
【図１】ボンネットの図示を省いて、エンジンルームを上方から見た概略図である。
【図２】ボンネットに固定される導気部材の外形形状を説明するための図である。
【図３】インタークーラとその周囲に定置されるスカート部材の斜視図である。
【図４】図１のIV−IV線に沿って切断した断面図である。
【図５】図１のＶ−Ｖ線に沿って切断した断面図である。
【図６】図１のVI−VI線に沿って切断した断面図である。
【符号の説明】
【００２３】
１      エンジンルーム
３      エンジン
３ａ      エンジン出力軸
４      ターボチャージャ
５      インタークーラ
５ａ      インタークーラのコア部分
１０      導気部材
１１      導気部材の入口
１２      導気部材の内部導気通路
１３      インタークーラに対応して位置する導気部材の開口部
１５      スカート部材
１７      弾性シール部材
２０      スカート部材の凹所
Ｂ      ボンネット
ＣＬ      車体中心軸線
【図１】
2005186851.tif 000003
【図２】
2005186851.tif 000004
【図３】
2005186851.tif 000005
【図４】
2005186851.tif 000006
【図５】
2005186851.tif 000007
【図６】
2005186851.tif 000008